【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
撮像レンズの着脱が可能な撮像装置であって、
前記撮像レンズにより形成された被写体像を光電変換する撮像素子と、
前記撮像レンズからの光により形成された複数の像のずれ量に応じたデフォーカス情報を生成する焦点検出手段と、
前記デフォーカス情報に基づいて該撮像レンズの合焦位置を求める第１のフォーカス処理、及び前記撮像素子を用いて得られた映像のコントラストに応じたフォーカス評価値情報に基づいて前記撮像レンズの合焦位置を求める第２のフォーカス処理を行う制御手段とを有し、
前記焦点検出手段は、第１の波長範囲の光により形成された前記複数の像のずれ量に応じた第１のデフォーカス情報と、前記第１の波長範囲よりも狭い第２の波長範囲の光により形成された前記複数の像のずれ量に応じた第２のデフォーカス情報とを検出し、
前記制御手段は、前記第１のデフォーカス情報と、前記第２のデフォーカス情報に基づいて求めた合焦位置と前記第２のフォーカス処理で求めた合焦位置との差に相当する第１の補正情報とを用いて前記撮像レンズのフォーカス制御を行うことを特徴とする撮像装置。
【請求項２】
前記制御手段は、前記撮像レンズから、該撮像レンズの色収差によるピントずれに関する第２の補正情報を取得し、
前記第１のデフォーカス情報と、前記第１の補正情報と、前記第２の補正情報とを用いて前記フォーカス制御を行うことを特徴とする請求項１に記載の撮像装置。
【請求項３】
前記第２の波長範囲は、前記第１の波長範囲の一部に重なることを特徴とする請求項１又は２に記載の撮像装置。
【請求項４】
前記制御手段は、前記撮像レンズから該撮像レンズを識別するための識別情報を取得し、
該撮像装置は、前記第１の補正情報を前記識別情報に対応付けて記憶する記憶手段を有することを特徴とする請求項１から３のいずれか１つに記載の撮像装置。
【請求項５】
前記焦点検出手段は、前記第２の波長範囲の光に対する透過率が他の波長範囲の光に対する透過率よりも高い光学フィルタを有し、該光学フィルタを光路外に配置して前記第１のデフォーカス情報を生成し、該光学フィルタを光路内に挿入して前記第２のデフォーカス情報を生成することを特徴とする請求項１から４のいずれか１つに記載の撮像装置。
【請求項６】
前記焦点検出手段は、前記第１の波長範囲での前記ずれ量を検出する第１の受光センサと、前記第２の波長範囲での前記ずれ量を検出する第２の受光センサとを有することを特徴とする請求項１から４のいずれか１つに記載の撮像装置。
【請求項７】
撮像レンズの着脱が可能な撮像装置の制御方法であって、
前記撮像レンズからの光により形成された複数の像のずれ量に応じたデフォーカス情報を生成する検出ステップと、
前記デフォーカス情報に基づいて該撮像レンズの合焦位置を求める第１のフォーカス処理、及び撮像素子を用いて得られた映像のコントラストに応じたフォーカス評価値情報に基づいて前記撮像レンズの合焦位置を求める第２のフォーカス処理を行う制御ステップとを有し、
前記検出ステップにおいて、第１の波長範囲の光により形成された前記複数の像のずれ量に応じた第１のデフォーカス情報と、前記第１の波長範囲よりも狭い第２の波長範囲の光により形成された前記複数の像のずれ量に応じた第２のデフォーカス情報とを検出し、前記制御ステップにおいて、前記第１のデフォーカス情報と、前記第２のデフォーカス情報に基づいて求めた合焦位置と前記第２のフォーカス処理で求めた合焦位置との差に相当する第１の補正情報とを用いて前記撮像レンズのフォーカス制御を行うことを特徴とする撮像装置の制御方法。
【手続補正２】
【補正対象書類名】明細書
【補正対象項目名】０００３
【補正方法】変更
【補正の内容】
【０００３】
また、最近では、位相差ＡＦより高精度化を図るため、ＴＶ−ＡＦを併用する場合もある。ＴＶ−ＡＦでは、撮像レンズによって形成された被写体像を光電変換する撮像素子を用いて得られる映像信号から、映像のコントラスト状態を示すフォーカス評価値信号を生成する。そして、該フォーカス評価値信号が最大となる位置にフォーカスレンズを移動させる。位相差ＡＦでは、撮像レンズからの光を焦点検出用の光学系を介して受光素子に導くため、該焦点検出光学系の製造誤差や配置誤差等の影響によってフォーカス精度が左右される。これに対し、ＴＶ−ＡＦでは、記録用画像を得るための撮像素子を用いるため、高精度なフォーカス制御が可能である。
【手続補正３】
【補正対象書類名】明細書
【補正対象項目名】００１０
【補正方法】変更
【補正の内容】
【００１０】
本発明の一側面としての撮像装置は、撮像レンズの着脱が可能な撮像装置である。該撮像レンズにより形成された被写体像を光電変換する撮像素子と、撮像レンズからの光により形成された複数の像のずれ量に応じたデフォーカス情報を生成する焦点検出手段と、該デフォーカス情報に基づいて該撮像レンズの合焦位置を求める第１のフォーカス処理、及び前記撮像素子を用いて得られた映像のコントラストに応じたフォーカス評価値情報に基づいて撮像レンズの合焦位置を求める第２のフォーカス処理を行う制御手段とを有する。焦点検出手段は、第１の波長範囲の光により形成された複数の像のずれ量に応じた第１のデフォーカス情報と、第１の波長範囲よりも狭い第２の波長範囲の光により形成された複数の像のずれ量に応じた第２のデフォーカス情報とを検出する。そして、制御手段は、第１のデフォーカス情報と、第２のデフォーカス情報に基づいて求めた合焦位置と第２のフォーカス処理で求めた合焦位置との差に相当する第１の補正情報とを用いて撮像レンズのフォーカス制御を行うことを特徴とする。
【手続補正４】
【補正対象書類名】明細書
【補正対象項目名】００１１
【補正方法】変更
【補正の内容】
【００１１】
また、本発明の他の側面としての撮像装置の制御方法は、撮像レンズからの光により形成された複数の像のずれ量に応じたデフォーカス情報を生成する検出ステップと、デフォーカス情報に基づいて該撮像レンズの合焦位置を求める第１のフォーカス処理、及び撮像素子を用いて得られた映像のコントラストに応じたフォーカス評価値情報に基づいて撮像レンズの合焦位置を求める第２のフォーカス処理を行う制御ステップとを有する。そして、検出ステップにおいて、第１の波長範囲の光により形成された前記複数の像のずれ量に応じた第１のデフォーカス情報と、第１の波長範囲よりも狭い第２の波長範囲の光により形成された前記複数の像のずれ量に応じた第２のデフォーカス情報とを検出する。さらに、制御ステップにおいて、第１のデフォーカス情報と、第２のデフォーカス情報に基づいて求めた合焦位置と第２のフォーカス処理で求めた合焦位置との差に相当する第１の補正情報とを用いて撮像レンズのフォーカス制御を行うことを特徴とする。
【手続補正５】
【補正対象書類名】明細書
【補正対象項目名】００１８
【補正方法】変更
【補正の内容】
【００１８】
ＩＲカットフィルタ１４は、図６の曲線ａで示す分光特性（透過率特性）を有する。すなわち、ＩＲカットフィルタ１４は、約４００ｎｍ〜約７３０ｎｍまでの波長範囲の光に対して高い透過率を有し、約７３０ｎｍより高い赤外波長範囲（第１の波長範囲）の光をほとんど透過させない（カットする）。
【手続補正６】
【補正対象書類名】明細書
【補正対象項目名】００３１
【補正方法】変更
【補正の内容】
【００３１】
光学フィルタ１７は、約５２０ｎｍ〜約５７０ｎｍまでの波長範囲の光に対して高い透過率を有し、それ以外の（他の）波長範囲の光をほとんど透過させない（カットする）。すなわち、ＩＲカットフィルタ１４に比べて狭い波長範囲（第２の波長範囲）の光を透過させる。なお、光学フィルタ１７の透過波長範囲は、ＩＲカットフィルタ１４の透過波長範囲の一部と重なっている。
【手続補正７】
【補正対象書類名】明細書
【補正対象項目名】００５８
【補正方法】変更
【補正の内容】
【００５８】
Ｓ２０７では、メモリ１９からレンズＩＤに対応するキャリブレーションデータ（第１の補正情報）を読み出す。次に、読み出したキャリブレーションデータを、Ｓ２０１で行った位相差ＡＦにより得られた補正前デフォーカス情報に加算する。さらに、カメラマイクロコンピュータ１１は、メモリ１９からレンズＩＤに対応する色ピントずれ情報（第２の補正情報）を読み出して、補正前デフォーカス情報に加算する。本実施例では、光学フィルタ１７は、約５２０nmから約５７０nmまでの波長範囲の色ピントずれ情報である。こうして、
補正後デフォーカス情報（第２のデフォーカス情報）
＝補正前デフォーカス情報
＋キャリブレーションデータ（第１の補正情報）
＋色ピントずれ情報（第２の補正情報）
の計算を行って補正後デフォーカス情報を求める。